(57)【要約】【課題】釣竿を緊締固定するヘッド部が基体側に固定された受け部から抜ける方向に負荷が加わった場合でも不用意に釣竿が釣竿支持部から外れることを防止できる釣竿支持装置を提供する。【解決手段】本発明の一実施形態に係る釣竿支持装置１は、釣竿を着脱自在に緊締固定するヘッド部１５ａと、ヘッド部１５ａを着脱自在に受ける受け部１５と、操作レバーの動きによって移動する係止爪３３ａをヘッド部１５ａに係止させることによりヘッド部１５ａを受け部１５に対して係脱自在に係止させるための係止手段と、ヘッド部１５ａに設けられるとともに、受け部１５からのヘッド部１５ａの抜去方向の移動により、ヘッド部１５ａに係止する係止爪３３ａと対向して該係止爪３３ａの移動を阻止する突起（移動阻止手段）４０とを有する。【選択図】図４
2011072275.tif 000002
【特許請求の範囲】
【請求項１】
所定の取付対象物に対して着脱自在に取り付け可能な基体と、該基体に装着され且つ釣竿を支持するための釣竿支持部とを有する釣竿支持装置において、
前記釣竿支持部は、釣竿を着脱自在に緊締固定するヘッド部と、前記基体側に固定され且つ前記ヘッド部を着脱自在に受ける受け部と、操作レバーの動きによって移動する係止爪をヘッド部に係止させることによりヘッド部を受け部に対して係脱自在に係止させるための係止手段と、前記ヘッド部に設けられるとともに、前記受け部からの前記ヘッド部の抜去方向の移動により、ヘッド部に係止する前記係止爪と係合または対向して該係止爪の移動を阻止する移動阻止手段とを有することを特徴とする釣竿支持装置。
【請求項２】
前記移動阻止手段は、前記係止爪が係止する前記ヘッド部の凹溝に設けられた突起を備えることを特徴とする請求項１に記載の釣竿支持装置。
【請求項３】
前記移動阻止手段は、前記受け部からの前記ヘッド部の抜去方向の移動によって前記係止爪が食い込むことができる柔軟部材を備えることを特徴とする請求項１または請求項２に記載の釣竿支持装置。
【発明の詳細な説明】
【技術分野】
【０００１】
本発明は、船縁等の所定の取付対象物に対して取り付け可能な釣竿支持装置に関する。
【背景技術】
【０００２】
一般的に、船釣りをする際、釣竿を支持するための釣竿支持装置を船縁に装着することが行われている。従来の船縁に取り付け可能な釣竿支持装置は、コの字状の基体と、この基体に取り付けた釣竿支持部とを有しており、万力等のクランプ装置で基体を船縁に取り付け、魚のあたりを待つ間、釣竿支持部に釣竿を支持させている（例えば、特許文献１ないし特許文献３参照）。
【先行技術文献】
【特許文献】
【０００３】
【特許文献１】実公平６−３１９０５号公報
【特許文献２】実公平６−１６５１９号公報
【特許文献３】特開２００７−２３６３４９号公報
【発明の概要】
【発明が解決しようとする課題】
【０００４】
ところで、従来の釣竿支持装置、例えば特許文献１に開示される釣竿支持具は、釣竿を着脱自在に緊締固定する円筒状のシリンダ部と、基体側に固定された円柱状のピストン部とを有しており、釣竿支持具に釣竿をセットする際には、シリンダ部をピストン部に回動自在に挿入嵌合するとともに、操作レバーの回動操作によって爪部をシリンダ部の内側に対して突没させて該爪部をピストン部の凹溝に係止させることにより、シリンダ部をピストン部に対して装着する。これにより、シリンダ部を介して釣竿が釣竿支持具に支持される。
【０００５】
しかしながら、このように釣竿が釣竿支持具にセットされた状態であっても、掛かった魚の強い引きが釣竿に作用する場合など、シリンダ部がピストン部から抜ける方向に何らかの大きな負荷が加わった場合には、釣竿が釣竿支持具から外れてしまう可能性がある。
【０００６】
本発明は、前記事情に着目してなされたものであり、その目的とするところは、釣竿を緊締固定するヘッド部が基体側に固定された受け部から抜ける方向に負荷が加わった場合でも不用意に釣竿が釣竿支持部から外れることを防止できる釣竿支持装置を提供することにある。
【課題を解決するための手段】
【０００７】
前記課題を解決するために、請求項１に記載の発明は、所定の取付対象物に対して着脱自在に取り付け可能な基体と、該基体に装着され且つ釣竿を支持するための釣竿支持部とを有する釣竿支持装置において、前記釣竿支持部は、釣竿を着脱自在に緊締固定するヘッド部と、前記基体側に固定され且つ前記ヘッド部を着脱自在に受ける受け部と、操作レバーの動きによって移動する係止爪をヘッド部に係止させることによりヘッド部を受け部に対して係脱自在に係止させるための係止手段と、前記ヘッド部に設けられるとともに、前記受け部からの前記ヘッド部の抜去方向の移動により、ヘッド部に係止する前記係止爪と係合または対向して該係止爪の移動を阻止する移動阻止手段とを有することを特徴とする。
【０００８】
この請求項１に記載の発明によれば、掛かった魚の強い引きが釣竿に作用するなどして、釣竿を緊締固定するヘッド部が基体側に固定された受け部から抜ける方向に負荷が加わってヘッド部が受け部から抜ける方向へ移動すると、移動阻止手段が、ヘッド部に係止する係止手段の係止爪と係合または対向して該係止爪の移動を阻止するため、不用意に釣竿が釣竿支持装置から外れることが防止される。すなわち、本構成によれば、より強固に釣竿を支持できる。
【０００９】
また、請求項２に記載の発明は、請求項１に記載の発明において、前記移動阻止手段は、前記係止爪が係止する前記ヘッド部の凹溝に設けられた突起を備えることを特徴とする。
【００１０】
この請求項２に記載の発明によれば、請求項１に記載の発明と同様の作用効果が得られる。すなわち、ヘッド部が受け部から抜ける方向へ移動すると、係止爪が係止するヘッド部の凹溝に設けられた突起が、ヘッド部に係止する係止手段の係止爪と係合または対向して該係止爪の移動を阻止するため、不用意に釣竿が釣竿支持装置から外れることが防止される。
【００１１】
また、請求項３に記載の発明は、請求項１または請求項２に記載の発明において、前記移動阻止手段は、前記受け部からの前記ヘッド部の抜去方向の移動によって前記係止爪が食い込むことができる柔軟部材を備えることを特徴とする。
【００１２】
この請求項３に記載の発明によれば、請求項１に記載の発明と同様の作用効果が得られる。すなわち、ヘッド部が受け部から抜ける方向へ移動すると、ヘッド部に設けられた柔軟部材（例えば、合成ゴム、天然ゴム、エラストマーなど）が係止爪と係合するため、すなわち、係止爪が柔軟部材に食い込むため、それにより、係止爪の移動が阻止され、不用意に釣竿が釣竿支持装置から外れることが防止される。また、本構成と請求項２の構成とを組み合わせると、釣竿支持装置からの釣竿の不用意な外れの防止が更に強固になる。
【発明の効果】
【００１３】
本発明によれば、釣竿を緊締固定するヘッド部が基体側に固定された受け部から抜ける方向に負荷が加わった場合でも不用意に釣竿が釣竿支持部から外れることを防止できる釣竿支持装置を提供できる。
【図面の簡単な説明】
【００１４】
【図１】船縁に取り付けた釣竿支持装置の全体構成を示す図である。
【図２】釣竿支持装置の内部構造を概略的に示す断面斜視図である。
【図３】第１の実施形態に係る釣竿支持装置のヘッド部の斜視図である。
【図４】（ａ）は、第１の実施形態に係る釣竿支持装置の受け部にヘッド部を取り付けた状態を示す断面図、（ｂ）は、ヘッド部が受け部から抜ける方向へ移動して、ヘッド部の突起が係止爪の移動方向で係止爪と対向した状態を示す断面図である。
【図５】第２の実施形態に係る釣竿支持装置の作用図であり、（ａ）は、受け部にヘッド部を取り付けた状態を示す断面図、（ｂ）は、ヘッド部が受け部から抜ける方向へ移動して、ヘッド部の柔軟部材に係止爪が食い込んで（係合して）係止爪の移動が阻止された状態を示す断面図である。
【図６】第３の実施形態に係る釣竿支持装置の作用図であり、（ａ）は、受け部にヘッド部を取り付けた状態を示す断面図、（ｂ）は、ヘッド部が受け部から抜ける方向へ移動して、ヘッド部の柔軟部材に係止爪が食い込む（係合する）とともに、ヘッド部の突起が係止爪の移動方向で係止爪と対向した状態を示す断面図である。
【発明を実施するための形態】
【００１５】
以下、添付図面を参照して、本発明の実施形態について説明する。  
図１〜図４は本発明の第１の実施形態を示している。図１に示されるように、本実施形態の釣竿支持装置１は、取付対象物としての例えば船縁５０に取り付けられるように構成されており、実際に船縁５０に取り付けて固定される基体２と、基体２に装着され且つ釣竿１６０を支持する釣竿支持部１０とを備えて構成されている。
【００１６】
船縁５０は、船によって、或いは着座する位置によって形状が異なっており、図１に示すように水平方向の張出部５０ａがあれば、釣竿支持装置１は、後述するクランプ機構を上下方向に締め付けて取り付け、一方、水平方向の張出部５０ａがない場合や短い形状であれば、同クランプ機構を水平方向に締め付けて取り付けできる。
【００１７】
基体２は、縦フレーム２Ａと、横フレーム２Ｂと、クランプ支持フレーム２Ｃとを具備したコの字状に形成されており、クランプ支持フレーム２Ｃに装着（螺着）されたクランプ機構３を締め付けることで、基体２を船縁５０に締め付け、取り付けすることが可能となっている。このクランプ機構３は、公知の構成であり、縦フレーム２Ａと平行に延在するシャフト３ａの下端に装着された操作レバー３ｂを回転することで、シャフト３ａの上端の押圧部３ｃを横フレーム２Ｂに向けて進退させ、基体２を船縁５０の張出部５０ａや、船縁５０の側壁５０ｂに対して締め付け、取り付けすることが可能となる。
【００１８】
基体２の横フレーム２Ｂの上面には釣竿支持部１０が取り付けられている。この釣竿支持部１０は、基体２から取り外すことなく或いは取り外して、縦フレーム２Ａの上面に移動させて取り付けすることが可能となっている。
【００１９】
釣竿支持部１０は、釣竿１６０が載置されるＹ字状の竿掛け部１２と、釣竿１６０を着脱自在に緊締固定する釣竿緊締具としてのヘッド部１５ａと、ヘッド部１５ａを着脱自在に受ける受け部１５と、これら竿掛け部１２と受け部１５とを支持する台座１７（この台座１７により受け部１５が基体２側に固定される）とを有している。
【００２０】
竿掛け部１２は、台座１７に対して支軸２９を中心に上下に揺動してその位置を上下方向で調整可能に構成されている。また、受け部１５は、前述したように、台座１７に対して取り付けられており、釣竿１６０の元竿に取着されるヘッド部１５ａを着脱可能にしている。この場合、公知のように、操作レバー１５ｂを操作することで、受け部１５に対してヘッド部１５ａを着脱できるようになっている。具体的には、図２に示されるように、ヘッド部１５ａは、受け部１５の装着空間３４内に嵌挿される嵌挿部の外周に環状の凹溝３０を有している。また、受け部１５は、枢軸３１を介して受け部１５に回動可能に取り付けられる操作レバー１５ｂを有しており、操作レバー１５ｂの回動操作によって操作レバー１５ｂの係止部３３（後述するように係止爪３３ａを端部に有する（図４参照））を受け部１５の側孔４３に挿通させて係止部３３を受け部１５の装着空間３４に対して突没させることにより、係止部３３をヘッド部１５ａの凹溝３０に係止させることができるようになっている。そして、凹溝３０と係止部３３との係止により、ヘッド部１５ａが受け部１５に対して装着固定され、受け部１５を介して釣竿１６０が釣竿支持装置１に支持される。つまり、本実施形態において、操作レバー１５ｂ、係止部３３、側孔４３、枢軸３１は、操作レバー１５ｂの動きによって移動する係止部３３（係止爪３３ａ）をヘッド部１５ａに係止させることによりヘッド部１５ａを受け部１５に対して係脱自在に係止させるための係止手段６０を構成している。
【００２１】
また、本実施形態の釣竿支持装置１は、受け部１５からのヘッド部１５ａの抜去方向の移動によってヘッド部１５ａに係止した状態の係止爪３３ａ（図４に示されるように係止部３３の端部に設けられる）と係合または対向して係止爪３３ａの移動を阻止する移動阻止手段を有している。特に、本実施形態において、この移動阻止手段は、ヘッド１５ａの凹溝３０の底部周縁に形成された突起４０から成る（図２〜図４参照）。この突起４０は、図３に示されるように凹溝３０の全周にわたって形成されることが望ましい。
【００２２】
図４の（ａ）は、係止部３３（係止爪３３ａ）がヘッド部１５ａの凹溝３０に係止して受け部１５にヘッド部１５ａが取り付けられた状態を示している。この状態では、係止爪３３ａの下端と突起４０の上端とが略同一平面上に位置しており、したがって、操作レバー１５ｂを回動操作すれば、係止部３３が側孔４３に挿通でき、受け部１５からヘッド部１５ａを抜き去ることができる。また、この図４の（ａ）の状態で、掛かった魚の強い引きが釣竿１６０に作用するなどして、ヘッド部１５ａに負荷が加わってヘッド部１５ａが受け部１５から抜ける方向（図４の（ｂ）に矢印で示される方向）へ移動すると、図４の（ｂ）に示されるように、ヘッド部１５ａの突起４０が係止爪３３ａ（係止部３３）の移動方向で係止爪３３ａと対向し、係止爪３３ａ（係止部３３）の移動が阻止される。したがって、ヘッド部１５ａが受け部１５から抜け出ること、すなわち、釣竿１６０が釣竿支持装置１から外れることが防止される。
【００２３】
以上説明したように、本実施形態によれば、掛かった魚の強い引きが釣竿に作用するなどして、釣竿１６０を緊締固定するヘッド部１５ａが基体２側に固定された受け部１５から抜ける方向に負荷が加わってヘッド部１５ａが受け部１５から抜ける方向へ移動すると、移動阻止手段としての突起４０が、ヘッド部１５ａに係止する係止手段６０の係止爪３３ａと対向して係止爪３３ａの移動を阻止するため、不用意に釣竿１６０が釣竿支持装置１から外れることが防止される。すなわち、本構成によれば、より強固に釣竿１６０を支持できる。
【００２４】
図５は本発明の第２の実施形態を示している。図示のように、本実施形態において、前記移動阻止手段は、受け部１５からのヘッド部１５ａの抜去方向の移動によって係止爪３３ａが食い込むことができる柔軟部材４２から成る。この柔軟部材４２は、例えば合成ゴム、天然ゴム、エラストマーなどから成り、ヘッド部１５ａの凹溝３０の底面に全周にわたって設けられる。
【００２５】
図５の（ａ）は、係止部３３（係止爪３３ａ）がヘッド部１５ａの凹溝３０に係止して受け部１５にヘッド部１５ａが取り付けられた状態を示している。この状態では、柔軟部材４２が係止爪３３ａと相互に作用せず、また、係止爪３３ａの移動方向にその移動を阻止するものが存在しないため、操作レバー１５ｂを回動操作すれば、係止部３３が側孔４３に挿通でき、受け部１５からヘッド部１５ａを抜き去ることができる。また、この図５の（ａ）の状態で、掛かった魚の強い引きが釣竿１６０に作用するなどして、ヘッド部１５ａに負荷が加わってヘッド部１５ａが受け部１５から抜ける方向（図５の（ｂ）に矢印で示される方向）へ移動すると、図５の（ｂ）に示されるように、ヘッド部１５ａの柔軟部材４２に係止爪３３ａが食い込んで（係合して）係止爪３３ａの移動が阻止される。したがって、ヘッド部１５ａが受け部１５から抜け出ること、すなわち、釣竿１６０が釣竿支持装置１から外れることが防止される。また、本実施形態では、柔軟部材４２によって係止部３３（係止爪３３ａ）と凹溝３０の底部との間の隙間が埋められるため、受け部１５に対するヘッド部の鉛直方向のガタつきを抑制できる。
【００２６】
図６は本発明の第３の実施形態を示している。図示のように、本実施形態において、前記移動阻止手段は、ヘッド部１５ａの凹溝３０の底部に設けられた突起４０および柔軟部材４２から成る。突起４０は凹溝３０の底部周縁に全周にわたって形成され、柔軟部材４２は、例えば合成ゴム、天然ゴム、エラストマーなどから成り、ヘッド部１５ａの凹溝３０の底面に全周にわたって設けられる。
【００２７】
図６の（ａ）は、係止部３３（係止爪３３ａ）がヘッド部１５ａの凹溝３０に係止して受け部１５にヘッド部１５ａが取り付けられた状態を示している。この状態では、係止爪３３ａの下端と突起４０の上端とが略同一平面上に位置し且つ柔軟部材４２が係止爪３３ａと相互に作用しないため、操作レバー１５ｂを回動操作すれば、係止部３３が側孔４３に挿通でき、受け部１５からヘッド部１５ａを抜き去ることができる。また、この図６の（ａ）の状態で、掛かった魚の強い引きが釣竿１６０に作用するなどして、ヘッド部１５ａに負荷が加わってヘッド部１５ａが受け部１５から抜ける方向（図６の（ｂ）に矢印で示される方向）へ移動すると、図６の（ｂ）に示されるように、ヘッド部１５ａの突起４０が係止爪３３ａ（係止部３３）の移動方向で係止爪３３ａと対向するとともに、ヘッド部１５ａの柔軟部材４２に係止爪３３ａが食い込んで（係合して）、係止爪３３ａの移動が阻止される。したがって、ヘッド部１５ａが受け部１５から抜け出ること、すなわち、釣竿１６０が釣竿支持装置１から外れることが防止される。
【００２８】
本実施形態のように、第１の実施形態と第２の実施形態とを組み合わせた移動阻止手段を採用すると、釣竿支持装置１からの釣竿１６０の不用意な外れの防止が更に強固になる。すなわち、柔軟部材４２に対する係止爪３３ａの径方向のズレなど、柔軟部材４２の弾性に起因する係止爪３３ａと柔軟部材４２との相対的なズレを突起４０によって確実に食い止めることができるため、釣竿１６０の不用意な外れの防止が更に強固になる。
【符号の説明】
【００２９】
１  釣竿支持装置
２  基体
１０  釣竿支持部
１５ａ  ヘッド部
１５  受け部
１５ｂ  操作レバー
３３  係止部
３３ａ  係止爪
４０  突起（移動阻止手段）
４２  柔軟部材（移動阻止手段）
６０  係止手段
【図１】
2011072275.tif 000003
【図２】
2011072275.tif 000004
【図３】
2011072275.tif 000005
【図４】
2011072275.tif 000006
【図５】
2011072275.tif 000007
【図６】
2011072275.tif 000008